(57)【要約】 【課題】押入内の空間を有効に活用して体裁良く設置でき、且つ、収納物品の出し入れも効率良く行える使い勝手の良い押入収納ユニットを提供する。【解決手段】押入１０内の空間を利用して設置される押入収納ユニットであって、押入１０内の左右側壁１０ｂ間の任意の位置に設置される収納箱１と、この収納箱１の側部１ｂと押入１０の側壁１０ｂとの間の高さ方向の任意の位置に架設されるハンガーパイプ２と、収納箱１の上面１ａに配置され、長さ寸法が側壁間寸法の天板３とを備えている。【選択図】図１
0003132898.tif 000002
【実用新案登録請求の範囲】
【請求項１】
押入内の空間を利用して設置される押入収納ユニットであって、
前記押入内の左右側壁間の任意の位置に設置される少なくとも１台以上の収納家具と、当該収納家具の側部と前記押入の側壁との間、および／または前記収納家具の側部間の高さ向の任意の位置に架設されるハンガーパイプと、前記収納家具の上面に配置され、長さ寸法が側壁間寸法に設定された天板とを備えることを特徴とする押入収納ユニット。
【請求項２】
前記押入の背壁に固定され、前記天板の後部をその下面側より支持する後部受桟と、前記押入の両側壁に固定され、前記天板の側部をその下面側より支持する横部受桟とを備えることを特徴とする請求項１に記載の押入収納ユニット。
【請求項３】
前記収納家具の下部両側部を前記押入の床面に固定する固定金具を備えることを特徴とする請求項１または請求項２に記載の押入収納ユニット。
【考案の詳細な説明】
【技術分野】
【０００１】
本考案は、押入内の空間を効率良く利用して設置される押入収納ユニッに関するものである。
【背景技術】
【０００２】
従来、押入を衣類等の収納用に使用する場合、押入の側壁間にハンガーパイプを取り付けて、衣類を引っ掛けたハンガーを吊下げておくと共に、吊り下げた衣類と床面との間の空間、或いは衣類と押入の背壁との間の空間を利用し、これらの空間に見合った小形整理ダンスや収納箱等の収納用家具類を適宜設置して、小物衣類等を収納するようにしていた。また、これら小形家具類に収納しきれない衣類等が、直接家具の上に積み重ねられていることも多かった。
従って、このような押入収納は、整頓が不十分で見た目の体裁も悪く、また、ハンガーに吊り下げた衣類が邪魔となって衣類の出し入れが容易でない等、使い勝手の面でも問題があった。
【考案の開示】
【考案が解決しようとする課題】
【０００３】
本考案は、上記実情に鑑み成されたもので、押入内の空間を有効に活用して体裁良く設置でき、且つ、収納物品の出し入れしも容易に行える使い勝手の良い押入収納ユニットを提供することを目的としている。
【課題を解決するための手段】
【０００４】
すなわち、請求項１に記載の考案は、押入内の空間を利用して設置される押入用収納家具であって、前記押入内の左右側壁間の任意の位置に設置される少なくとも１台以上の収納家具と、当該収納家具の側部と前記押入の側壁との間、および／または前記収納家具の側部間の高さ方向の任意の位置に架設されるハンガーパイプと、前記収納家具の上面に配置され、長さ寸法が側壁間寸法に設定された天板とを備えることを特徴としている。
【０００５】
また、請求項２に記載の考案は、請求項１に記載の押入収納ユニットにおいて、前記押入の背壁に固定され、前記天板の後部をその下面側より支持する後部受桟と、前記押入の両側壁に固定され、前記天板の側部をその下面側より支持する横部受桟とを備えることを特徴としている。
【０００６】
また、請求項３に記載の考案は、請求項１または請求項２に記載の押入収納ユニットにおいて、前記収納家具の下部両側部を前記押入の床面に固定する固定金具を備えることを特徴としている。
【考案の効果】
【０００７】
本考案によれば、収納家具と収納家具の間や収納家具と押入の側壁間にハンガーパイプが配設されるため、収納家具に物品（例えば、小物衣料）を収納したり、取り出したりする時に、ハンガーパイプに吊り下げた衣類が邪魔になることはない。また、天板を収納棚として使用し、箱物等の大きな物品を収納しておくこともできる。このように、押入内の限られた空間を有効に活用して様々な物品を効率良く収納することができ、かつ、見た目の体裁も極めて良いものである。
【０００８】
また、収納家具の上面は天板により押入の側壁に固定され、側部がハンガーパイプにより押入の側壁に固定されると共に、その下部が固定金具により床面に固定されるため、地震等、震動に対する安定性にも優れている。
【考案を実施するための最良の形態】
【０００９】
以下、図１〜図４に基づいて本考案による押入収納ユニットの実施形態を説明する。
【００１０】
本実施形態の押入収納ユニットは、上下左右を壁面材で囲まれた押入１０内の空間を利用して設置されるものであり、図１に示すように、押入１０の左右側壁１０ｂ間の任意の位置において床面１０ａに設置された収納箱１と、この収納箱１の側部１ｂと押入１０の側壁１０ｂとの間に架設されたハンガーパイプ２と、収納箱１の上面１ａに配置された天板３と、この天板３を下面側より支持する後部受桟４および横部受桟５、５等で基本構成されている。
【００１１】
収納箱１は、複数の引出１１、スライド式のワイヤーバスケット１２、収納棚１３等を高さ方向一列に備えた縦長の収納家具であり、その両側部１ｂ、１ｂがそれぞれ下方部においてＬ型の固定金具６により床面１０ａに固定されている。
この収納箱１の高さ寸法は、押入１０の高さ寸法より低く設定され、収納箱１の上面１ａに設けた天板３と押入１０の天井板１０ｄとの間に、ある程度の収納空間が確保されるようになっており、且つ、収納箱１の奥行き寸法は、押入１０の奥行き寸法より小さく設定され、押入１０の床面１０ａ内に収納箱１が確実に収まるようになっている。
【００１２】
横部受桟５は、押入の左右側壁１０ｂ、１０ｂに配置され、その上面が収納箱１の高さ位置（収納箱１の上面１ａ）に合わさるように固定されていると共に、後部受桟４は、この横部受桟５と収納箱１の側部１ｂとの間に配置され、同じように、その上面が収納箱１の高さ位置に合わさるように背壁１０ｃに固定されている。これら横部受桟５と後部受桟４の取り付けには、木ねじ９が使用されている。
【００１３】
そして、これら横部受桟５と後部受桟４の上面、および収納箱１の上面１ａに長さ寸法が側壁１０ｂ間寸法（有効間口寸法）の天板３が載置され、この天板３が横部受桟５と後部受桟４と収納箱１にそれぞれ上面側より木ねじ９にて数カ所固定されている。
【００１４】
尚、後部受桟４の寸法は、収納箱１の設置位置によって変わるので、長尺の受桟４がその都度、設置位置に応じた最適寸法にカットされて取り付けられる。
【００１５】
また、ハンガーパイプ２は、嵌め込み式のパイプソケット７を用いて取り付けられている。本実施形態では、図１に示すように、収納箱１の上部に左右２本と、左側高さ方向の中間部分に１本が取り付けられている。収納箱１側については、パイプソケット７が直接収納箱１の側部１ｂにネジ止めされ、側壁１０ｂ側については、横部受桟５や側壁１０ｂにネジ止めされた四角形のソケット受板８に取り付けられている。
【００１６】
この場合も、ハンガーパイプ２は、上述した後部受桟４と同様に、収納箱１の設置位置によってその寸法が変わるので、長尺のパイプ２がその都度最適寸法にカットされて取り付けられる。
【００１７】
図２は、上記構成による押入収納ユニットの使用状態を示している。
図２に示すように、収納箱１の複数の引き出し１１には、例えば、靴下、ハンカチ、下着類等の小物衣料（図示せず）が収納され、その上段のワイヤーバスケット１２には、例えば、畳まれたシャツ類等（図示せず）が収納され、最上段の収納棚１３には、例えば、ぬいぐるみ１８等がアクセサリー用として収納されている。
【００１８】
ハンガーパイプ２には、コートやジャケット等の大形衣類１５を引っ掛けたハンガー１４が吊り下げられており、右隅の床面１０ａ上には、衣類１５との間のスペースを利用して大きなバック１６が置かれている。
【００１９】
また、天板３を収納棚として使用し、天井板１０ｄとの間のスペースには、帽子ケースや大形バック等の箱物１７が収納されている。
【００２０】
以上、本考案の実施形態によれば、収納箱１と押入１０の側壁１０ｂとの間にハンガーパイプ２が架設されているため、収納箱１に物品（例えば、小物衣料）を収納したり、取り出したりする時に、ハンガーパイプ２に吊り下げた衣類１５等が邪魔になることはない。また、天板３は収納棚として使用され、天井板１０ｄとのスペースに大きな物品を収納しておくことができる。
このように、押入１０内の限られた空間を有効に活用して様々な物品を効率良く収納することができ、且つ、見た目も整然としており、極めて体裁の良いものである。
【００２１】
また、収納箱１の上面１ａは天板３によって押入１０の側壁１０ｂに固定され、側部１ｂはハンガーパイプ２によって押入１０の側壁１０ｂに固定されると共に、固定金具６によって床面１０ａに固定されているため、地震等、震動に対する安定性にも優れている。
【００２２】
以上、本考案の押入収納ユニットは、収納箱１、ハンガーパイプ２、天板３等の基本要素の組み合わせで構成されるものであるから、図１の構成の以外にも、押入１０の間口寸法や使用者の使い勝手に応じた様々な使用形態とユニット構成を採ることができる。
【００２３】
図３は、図１とは別の使用形態を示し、押入１０の左側壁１０ｂに寄せて収納箱１を配置し、収納箱１の上部と右側壁１０ｂとの間にハンガーパイプ２を取り付けた使用形態である。
【００２４】
また、図４は本発明に係る押入収納ユニットの他の実施形態を示している。
この押入ユニットは、図１と相違し、２台の収納箱１を備えるが、天板３、ハンガーパイプ２、後部受桟４、横部受桟５、固定金具６等、その他のユニット構成部材は図１と同様であり、図１と同一符号を付して、これらの説明は省略している。
図４（ａ）は、押入１０の左右側壁１０ｂ間の中央に２台の収納箱１を並べて配置し、ハンガーパイプ２が収納箱１の上部に左右２本、左側の高さ方向の中間部分に１本取り付けられたユニット構成例であり、図４（ｂ）は、図４（ａ）とは使用形態が異なり、押入１０の左右側壁１０ｂに寄せてそれぞれ収納箱１を配置し、収納箱１間の上部にハンガーパイプ２が取り付けられた例である。
【図面の簡単な説明】
【００２５】
【図１】本考案の一実施形態として示した押入収納ユニットの構成を示す図で、（ａ）は正面図、（ｂ）は（ａ）のＡ−Ａ矢視図、（ｃ）は平面図。
【図２】図１に示す本考案の押入収納ユニットの使用状態を示す図。
【図３】図１とは別の使用状態を示す図。
【図４】本考案の押入収納ユニットの他の実施形態およびその使用状態を示す図。
【符号の説明】
【００２６】
１  収納家具（収納箱）
２  ハンガーパイプ
３  天板
４  後部受桟
５  横部受桟
６  固定金具
１０  押入
１０ｂ  側壁
１０ｃ  背壁
１０ａ  床面
【図１】
0003132898.tif 000003
【図２】
0003132898.tif 000004
【図３】
0003132898.tif 000005
【図４】
0003132898.tif 000006